(57)【特許請求の範囲】
【請求項１】
主熱源としての給湯器と、補助熱源によって生成された温水を貯留する蓄熱槽と、前記蓄熱槽から送出された温水に必要に応じて上水を混合することで目標温度の温水を前記給湯器に送出する混合調節弁が搭載された給湯接続ユニットとを備え、前記混合調節弁は、全開で前記蓄熱槽から送出された温水のみを前記給湯器に送出し、全閉で上水のみを前記給湯器に送出するようになっている給湯システムにおいて、
前記混合調節弁がハンチング動作を行っているときの前記給湯接続ユニットから送出される温水の温度が、上水温度に所定温度を加算した判定基準温度以下であるときに、前記蓄熱槽から前記給湯接続ユニットに温水を送出不能な状態であると判定し、
前記蓄熱槽から前記給湯接続ユニットに温水を送出不能な状態であると判定した場合は、前記混合調節弁を強制的に全閉にするようにしたことを特徴とする給湯システム。
【請求項２】
前記混合調節弁がハンチング動作を行っているときの前記給湯接続ユニットから送出される温水の温度が、上水温度に所定温度を加算した判定基準温度以下であっても、前記混合調節弁が全開状態を所定時間以上維持しているときは、前記蓄熱槽から前記給湯接続ユニットに温水を送出可能な状態であると判定するようにした請求項１に記載の給湯システム。
【請求項３】
前記混合調節弁を強制的に全閉にした後は、前記給湯器の運転スイッチを操作することによって運転状態をリセットした時点、または、運転状態をリセットすることなく所定時間が経過した時点で、前記混合調節弁を通常の制御状態に復帰させるようにした請求項１または２に記載の給湯システム。
【請求項４】
主熱源としての給湯器と、補助熱源によって生成された温水を貯留する蓄熱槽と、前記蓄熱槽から送出された温水に必要に応じて上水を混合することで目標温度の温水を前記給湯器に送出する混合調節弁が搭載された給湯接続ユニットとを備え、前記混合調節弁は、全開で前記蓄熱槽から送出された温水のみを前記給湯器に送出し、全閉で上水のみを前記給湯器に送出するようになっている給湯システムにおいて、
前記蓄熱槽から送出される温水の温度が目標温度以上であって、前記混合調節弁がハンチング動作を行っているときの前記給湯接続ユニットから送出される温水の温度が、目標温度に所定温度を加算した判定基準温度以上であるときに、前記給湯接続ユニットに上水を送出不能な状態であると判定し、
前記給湯接続ユニットに上水を送出不能な状態であると判定した場合は、前記混合調節弁を強制的に全閉にするようにしたことを特徴とする給湯システム。
【請求項５】
前記混合調節弁を強制的に全閉にした後は、前記給湯器の運転スイッチを操作することによって、運転状態をリセットした場合に限り、前記混合調節弁を通常の制御状態に復帰させるようにした請求項４に記載の給湯システム。
【発明の詳細な説明】
【０００１】
【発明の属する技術分野】
この発明は、太陽熱等の補助熱源によって生成された温水を蓄熱槽に貯留しておき、この温水を、上水と混合可能な給湯接続ユニットを介して、給湯器に送出するようにした給湯システムに関する。
【０００２】
【従来の技術】
補助熱源を利用した給湯システムとしては、例えば、太陽熱を利用して温水を生成する太陽熱利用温水器と給湯器とを組み合わせた給湯システムが従来から一般的に知られている。
【０００３】
こういった、給湯システムでは、太陽熱を利用して生成された温水を貯留する蓄熱槽を備えている太陽熱利用温水器と給湯器とが、給湯接続ユニットを介して接続されており、給湯時には、太陽熱利用温水器の蓄熱槽に貯留された温水が給湯接続ユニットを介して給湯器に送出されるが、給湯接続ユニットは、蓄熱槽に貯留された温水を単に給湯器に送出するだけではなく、必要に応じて、蓄熱槽から送出される温水に上水を混合した状態で給湯器に送出することができるように、給湯接続ユニットには、全開で蓄熱槽から送出された温水のみを給湯器に送出し、全閉で上水のみを給湯器に送出する混合調節弁が搭載されている。
【０００４】
従って、給湯器に対して設定された給湯設定温度以上の温水が蓄熱槽に貯留されている場合は、給湯接続ユニットの混合調節弁が、蓄熱槽から送出される給湯設定温度以上の温水と上水とを適宜混合することによって、目標温度である給湯設定温度の温水を生成し、これを給湯器に送出する。一方、給湯設定温度以上の温水が蓄熱槽に貯留されていない場合は、給湯接続ユニットの混合調節弁が、蓄熱槽から送出される給湯設定温度を下回る温水を、上水と適宜混合することによって、目標温度である固定温度まで強制的に下げた状態で給湯器に送出し、給湯器のバーナーを燃焼させることによって給湯設定温度の温水を生成することになる。
【０００５】
ところで、こういった給湯システムにおいて、例えば、蓄熱槽と給湯接続ユニットとを接続する配管経路を遮断するバルブ等を開け忘れたり、何らかの理由で蓄熱槽内が空になっているために、蓄熱槽から給湯接続ユニットに温水を全く送出することができないような状態で給湯運転を行うと、目標温度の温水を生成しようとして混合調節弁が全開側に開いていくが、蓄熱槽からは温水が供給されないので、給湯器への温水の送出量が減少し、給湯器の最小作動水量以下まで低下する。
【０００６】
このように給湯器への温水の送出量が給湯器の最小作動水量以下まで低下すると、給湯が停止されたと認識して、混合調節弁が給湯停止時の待機位置である半開状態になるので、再び、上水が給湯器に送出され始め、同様の動作を繰り返すことによって、混合調節弁がハンチング動作を起こすようになり、正常に給湯運転を行うことができなくなる。
【０００７】
従って、従来の給湯システムでは、こういった混合調節弁のハンチング動作が発生した場合は、蓄熱槽から温水を供給することができない状態になっていると判断し、混合調節弁を強制的に全閉にして上水のみを給湯器に送出することによって、蓄熱槽に貯留された温水を利用しない給湯運転を行うようになっている。
【０００８】
また、給湯接続ユニットの構成によっては、蓄熱槽から給湯接続ユニットに温水を送出することはできるが、断水等によって上水を給湯接続ユニットに送出することができないような場合にも、同様の状態に陥る可能性があり、そういった場合には、混合調節弁のハンチング動作を捉えて、混合調節弁を強制的に全閉にすることによって、給湯運転を強制的に停止させることが考えられる。
【０００９】
【発明が解決しようとする課題】
しかしながら、上述したような混合調節弁のハンチング動作は、蓄熱槽から給湯接続ユニットに温水を送出することができない場合や、断水等によって給湯接続ユニットに上水を送出することができない場合にだけ起こるのではなく、カラン操作等によっても同様の状態が発生する可能性があるので、混合調節弁のハンチング動作を捉えて混合調節弁を強制的に全閉にしてしまうと、給湯システム自体が正常に作動することができる状態であっても、カラン操作等によって混合調節弁がハンチング動作を起こしたような場合には、運転状態をリセットするまでの間、蓄熱槽に貯留された温水を有効に利用して給湯運転を行うことができなくなるといった問題がある。
【００１０】
そこで、この発明の課題は、上述したようなシステム異常だけを確実に検知してこれに対処することのできる給湯システムを提供することにある。
【００１１】
【課題を解決するための手段及びその効果】
上記の課題を解決するため、請求項１に係る発明は、主熱源としての給湯器と、補助熱源によって生成された温水を貯留する蓄熱槽と、前記蓄熱槽から送出された温水に必要に応じて上水を混合することで目標温度の温水を前記給湯器に送出する混合調節弁が搭載された給湯接続ユニットとを備え、前記混合調節弁は、全開で前記蓄熱槽から送出された温水のみを前記給湯器に送出し、全閉で上水のみを前記給湯器に送出するようになっている給湯システムにおいて、前記混合調節弁がハンチング動作を行っているときの前記給湯接続ユニットから送出される温水の温度が、上水温度に所定温度を加算した判定基準温度以下であるときに、前記蓄熱槽から前記給湯接続ユニットに温水を送出不能な状態であると判定し、前記蓄熱槽から前記給湯接続ユニットに温水を送出不能な状態であると判定した場合は、前記混合調節弁を強制的に全閉にするようにしたのである。
【００１２】
蓄熱槽から給湯接続ユニットに温水を送出することができないような状態では、混合調節弁がハンチング動作を行っているときに給湯接続ユニットから送出される温水の温度が上水の温度に近づくので、上述した給湯システムのように、混合調節弁のハンチング動作だけでなく、混合調節弁がハンチング動作を行っているときの給湯接続ユニットから送出される温水の温度が、上水温度に所定温度を加算した判定基準温度以下であるときに、蓄熱槽から給湯接続ユニットに温水を送出不能な状態であると判定するようにしておくと、混合調節弁のハンチング動作のみを捕らえて混合調節弁を強制的に全閉にするようにした従来の給湯システムとは異なり、カラン操作等に基づく混合調節弁のハンチング動作を識別することが可能となり、蓄熱槽から給湯接続ユニットに温水を送出することができないような状態である場合にだけ、蓄熱槽に貯留された温水を利用しない給湯運転に切り替えることができる。
【００１４】
特に、請求項２に係る発明の給湯システムのように、前記混合調節弁がハンチング動作を行っているときの前記給湯接続ユニットから送出される温水の温度が、上水温度に所定温度を加算した判定基準温度以下であっても、前記混合調節弁が全開状態を所定時間以上維持しているときは、前記蓄熱槽から前記給湯接続ユニットに温水を送出可能な状態であると判定するようにしておくと、蓄熱槽に貯留されている温水の温度が上水の温度に近いような場合でも、カラン操作等に基づく混合調節弁のハンチング動作を識別することが可能となるので、判定精度が向上するという効果が得られる。
【００１５】
また、蓄熱槽から給湯接続ユニットに温水を送出不能な状態であると判定し、混合調節弁を強制的に全閉にした後は、請求項３に係る発明の給湯システムのように、前記給湯器の運転スイッチを操作することによって運転状態をリセットした時点、または、運転状態をリセットすることなく所定時間が経過した時点で、前記混合調節弁を通常の制御状態に復帰させるようにすればよい。
【００１６】
また、上記の課題を解決するため、請求項４に係る発明は、主熱源としての給湯器と、補助熱源によって生成された温水を貯留する蓄熱槽と、前記蓄熱槽から送出された温水に必要に応じて上水を混合することで目標温度の温水を前記給湯器に送出する混合調節弁が搭載された給湯接続ユニットとを備え、前記混合調節弁は、全開で前記蓄熱槽から送出された温水のみを前記給湯器に送出し、全閉で上水のみを前記給湯器に送出するようになっている給湯システムにおいて、前記蓄熱槽から送出される温水の温度が目標温度以上であって、前記混合調節弁がハンチング動作を行っているときの前記給湯接続ユニットから送出される温水の温度が、目標温度に所定温度を加算した判定基準温度以上であるときに、前記給湯接続ユニットに上水を送出不能な状態であると判定し、前記給湯接続ユニットに上水を送出不能な状態であると判定した場合は、前記混合調節弁を強制的に全閉にするようにしたのである。
【００１７】
給湯接続ユニットに上水を送出することができないような状態では、混合調節弁がハンチング動作を行っているときに給湯接続ユニットから送出される温水の温度が、蓄熱槽から送出される温水の温度に近づくので、上述した給湯システムのように、混合調節弁のハンチング動作だけでなく、蓄熱槽から送出される温水の温度が目標温度以上であって、混合調節弁がハンチング動作を行っているときの給湯接続ユニットから送出される温水の温度が、目標温度に所定温度を加算した判定基準温度以上であるときに、給湯接続ユニットに上水を送出不能な状態であると判定するようにしておくと、混合調節弁のハンチング動作のみを捕らえて混合調節弁を強制的に全閉にするようにした従来の給湯システムとは異なり、カラン操作等に基づく混合調節弁のハンチング動作を識別することが可能となり、給湯接続ユニットに上水を送出することができないような状態である場合にだけ、給湯運転を強制的に停止させることができる。
【００１９】
また、給湯接続ユニットに上水を送出不能な状態であると判定し、混合調節弁を強制的に全閉にした後は、請求項５に係る発明の給湯システムのように、前記給湯器の運転スイッチを操作することによって、運転状態をリセットした場合に限り、前記混合調節弁を通常の制御状態に復帰させるようにしておくことが望ましい。
【００２０】
この場合は、蓄熱槽から給湯接続ユニットに温水を送出不能な状態であると判定し、混合調節弁を強制的に全閉にした場合とは異なり、全く給湯ができない状態になるので、カランを開いた状態で給湯が停止されている場合があり、そのような場合に、所定時間経過後に自動的に混合調節弁を通常の制御状態に復帰させると、ユーザの意図に反して蓄熱槽に貯留された高温の温水がカランから送出されるおそれがあるからである。
【００２１】
【発明の実施の形態】
以下、実施の形態について図面を参照して説明する。図１は、補助熱源として太陽熱を利用した給湯システム１の概略構成を示している。この給湯システム１は、同図に示すように、太陽熱利用温水器１０と給湯器３０とが給湯接続ユニット２０を介して接続されたものであり、太陽熱利用温水器１０によって生成された温水が給湯接続ユニット２０を介して給湯器３０に送出されるようになっている。
【００２２】
前記太陽熱利用温水器１０は、ソーラー熱交換器１１と密閉式の蓄熱槽１４とを備えており、蓄熱槽１４には、その下端部に上水を供給するための給水管１５が接続されていると共に、上端部には貯留された温水を給湯接続ユニット２０に送出するための温水供給管１６が接続されている。
【００２３】
前記ソーラー熱交換器１１には、その入口側と出口側とを接続するソーラー配管１２によって熱媒体の循環経路が形成されており、このソーラー配管１２は、部分的に蓄熱槽１４内に導入された熱交換部１３を有している。従って、ソーラー熱交換器１１によって加熱された熱媒体は、ソーラー配管１２を通って蓄熱槽１４内に導かれ、熱交換部１３で蓄熱槽１４内の水と熱交換を行うことで、蓄熱槽１４内に温水が生成されるようになっている。
【００２４】
前記給湯接続ユニット２０は、同図に示すように、給水管２２を介して供給される上水と、蓄熱槽１４から温水供給管１６を介して供給される温水とを、必要に応じて混合する混合調節弁２１を備えており、蓄熱槽１４から送出された温水は、そのまま又は上水と適宜混合された状態で混合調節弁２１の出口側に接続された温水配管２３を介して給湯器３０に送出され、給湯器３０の熱交換器３１を通って給湯されるようになっている。なお、混合調節弁２１は、全開状態で、蓄熱槽１４から温水供給管１６を介して送出される温水のみを給湯器３０に送出し、逆に、全閉状態では、給水管２２を介して供給される上水のみを給湯器３０に送出するようになっている。
【００２５】
また、給水管２２と温水配管２３とは、通電時に全閉となるダイヤフラム方式の電磁弁２５が設置されたバイパス管２４を介して相互に接続されており、混合調節弁２１に接続された温水供給管１６及び温水配管２３には、蓄熱槽１４から送出される温水の温度（以下、入湯温度という。）Ｔｓを検出するための入湯温度センサ２６、給湯接続ユニット２０に送出される上水の温度（以下、上水温度という。）Ｔｗを検出するための上水温度センサ２７及び給湯接続ユニット２０から送出される温水の温度（以下、出湯温度という。）Ｔｏを検出するための出湯温度センサ２８が設置されている。
【００２６】
前記給湯接続ユニット２０及び給湯器３０には、シリアルインターフェースを介して相互に通信可能なコントローラ２０ａ、３０ａがそれぞれ搭載されていると共に、給湯器３０の操作リモコン４０には、シリアルインターフェースを介して給湯器３０のコントローラ３０ａと相互に通信可能なコントローラ４０ａが搭載されており、これらのコントローラ２０ａ、３０ａ、４０ａが相互に連携をとりながら、給湯システム１の運転動作を統括的に制御している。
【００２７】
給湯接続ユニット２０のコントローラ２０ａには、入湯温度センサ２６、上水温度センサ２７及び出湯温度センサ２８からの温度検出信号が入力されると共に、操作リモコン４０によって設定された給湯設定温度Ｔｅ及び運転スイッチ信号、バーナー燃焼信号、最低作動水量以上の水流を検知してＯＮする水流信号等が給湯器３０のコントローラ３０ａから送信されるようになっており、これらの温度検出信号及び給湯設定温度Ｔｅに基づいて、給湯接続ユニット２０のコントローラ２０ａが混合調節弁２１を制御するようになっている。
【００２８】
蓄熱槽１４から送出される温水の温度、即ち、入湯温度センサ２６によって検出された入湯温度Ｔｓが給湯設定温度Ｔｅ以上の場合は、給湯器３０のバーナーを燃焼させなくても、上水を適宜混合することによって給湯設定温度Ｔｅの温水を供給することができるので、給湯接続ユニット２０から送出される温水の温度、即ち、出湯温度センサ２８によって検出される出湯温度Ｔｏが給湯設定温度Ｔｅになるように、混合調節弁２１を制御する給湯設定温度制御を行うようになっている。
【００２９】
一方、入湯温度Ｔｓが給湯設定温度Ｔｅより低い場合は、給湯器３０のバーナーを燃焼させなければ、給湯設定温度Ｔｅの温水を供給することができないので、給湯器３０のバーナーを燃焼させることによって、確実に給湯設定温度Ｔｅの温水を生成することができるように、入湯温度Ｔｓが６０℃以上、６０℃未満３５℃以上、３５℃未満に場合分けし、６０℃以上の場合は４５℃、６０℃未満３５℃以上の場合は３０℃、３５℃未満の場合は２５℃といった固定温度Ｔｆの温水がそれぞれ送出されるように、混合調節弁２１の開度を調整して上水を混合する固定温度制御を行うようになっている。
【００３０】
また、蓄熱槽１４と給湯接続ユニット２０とを接続する温水供給管１６に設置されたバルブ（図示せず）等を開け忘れたり、何らかの理由で蓄熱槽１４内が空になっているために、蓄熱槽１４から給湯接続ユニット２０に温水を全く送出することができないような状態や、断水のために給湯接続ユニット２０に上水を全く送出することができないような状態で給湯運転を行っていると、上述したように、混合調節弁２１がハンチング動作を起こして正常な給湯運転を行うことができないので、そういったシステム異常が発生した場合には、給湯接続ユニット２０のコントローラ２０ａが、これを検知して適切な運転動作に切り替えるようになっている。以下、システム異常が発生した場合の異常検知とそのときの運転動作について、図２及び図３に示すフローチャートを参照しながら詳細に説明する。
【００３１】
まず、図２に示すように、カウンタＮ及びカウンタＭをリセットした後（ステップＳ１）、水流信号のＯＦＦ時間が２秒以内の状態が発生したか否かを判断する（ステップＳ２）。ここで、水流信号のＯＦＦ時間が２秒以内の状態が発生しなかった場合は、混合調節弁２１がハンチング動作を行っていないと判断し、再度、カウンタＮをリセットした後（ステップＳ９）、ステップＳ２に移行する。
【００３２】
一方、ステップＳ２において、水流信号のＯＦＦ時間が２秒以内の状態が発生した場合は、続いて、そのときの出湯温度Ｔｏが上水温度Ｔｗ＋５℃以上であるか否かを判断する（ステップＳ３）。ここで、出湯温度Ｔｏが上水温度Ｔｗ＋５℃以上である場合は、上水系統に異常が発生している可能性があるので、さらに、出湯温度Ｔｏが目標温度（給湯設定温度Ｔｅまたは固定温度Ｔｆ）Ｔｔ＋５℃を上回っているか否かを判断する（ステップＳ４）。ここで、出湯温度Ｔｏが目標温度Ｔｔ＋５℃以下である場合は、上水系統に異常が発生していないと判断し、再度、カウンタＮをリセットした後（ステップＳ９）、ステップＳ２に移行する。
【００３３】
ステップＳ４において、出湯温度Ｔｏが目標温度Ｔｔ＋５℃を上回っている場合は、上水系統に異常が発生している可能性があるので、続いて、水流信号の２秒以内のＯＦＦ状態が発生した後、次に水流信号がＯＦＦするまでの時間が２０秒未満であるか否かを判断する（ステップＳ５）。ここで、水流信号のＯＮ時間が２０秒以上継続している場合は、混合調節弁２１がハンチング動作を起こしていないと判断し、再度、カウンタＮをリセットした後（ステップＳ９）、ステップＳ２に移行する。
【００３４】
一方、ステップＳ５において、水流信号のＯＮ時間が２０秒未満である場合は、混合調節弁２１がハンチング動作を起こしている可能性があるので、カウンタＮに１を加算した後（ステップＳ６）、カウンタＮ＝２であるか否かを判断する（ステップＳ７）。ここで、カウンタＮ＝１の場合は、上水系統に異常が発生している可能性が高いので、カウンタＮをリセットすることなく、ステップＳ２に戻って同様の動作を繰り返すことになる。
【００３５】
ステップＳ７において、カウンタＮ＝２の場合は、２秒以内の水流信号のＯＦＦ状態が発生した後、２０秒を経過する前に、再び、２秒以内の水流信号のＯＦＦ状態が発生したことになるので、混合調節弁２１がハンチング動作を起こしており、しかも、そのときの出湯温度Ｔｏが目標温度Ｔｔ＋５℃を上回っているので、上水系統の異常、即ち、断水等によって上水を給湯接続ユニット２０に送出できない状態にあるとして（ステップＳ８）、混合調節弁２１を強制的に全閉にする（ステップＳ１６）。
【００３６】
これによって、蓄熱槽１４から給湯接続ユニット２０への温水の送出が完全に遮断されるので、実際に、断水等によって上水を給湯接続ユニット２０に送出することができない場合は、給湯システム１が給湯運転を行うことができない状態となる。
【００３７】
一方、ステップＳ３において、出湯温度Ｔｏが上水温度Ｔｗ＋５℃を下回っている場合は、太陽熱利用温水器系統（以下、ソーラー系統という。）に異常が発生している可能性があるので、さらに、混合調節弁２１の全開時間が４秒未満であるか否かを判断する（ステップＳ１０）。ここで、混合調節弁２１が４秒以上全開になっている場合は、ソーラー系統に異常が発生していないと判断し、再度、カウンタＭをリセットした後（ステップＳ１５）、ステップＳ２に移行する。なお、ステップＳ１０において、混合調節弁２１の全開時間が４秒未満であるか否かを判断するようにしたのは、蓄熱槽１４に貯留されている温水の温度が上水温度Ｔｗ＋５℃以下の場合は、ソーラー系統に異常がない場合であっても、出湯温度Ｔｏが上水温度Ｔｗ＋５℃を下回ることになるので、こういった運転状態をソーラー系統の異常として判定しないようにするためである。
【００３８】
ステップＳ１０において、混合調節弁２１の全開時間が４秒未満である場合は、ソーラー系統に異常が発生している可能性があるので、続いて、水流信号の２秒以内のＯＦＦ状態が発生した後、次に水流信号がＯＦＦするまでの時間が２０秒未満であるか否かを判断する（ステップＳ１１）。ここで、水流信号のＯＮ時間が２０秒以上継続している場合は、混合調節弁２１がハンチング動作を起こしていないと判断し、再度、カウンタＭをリセットした後（ステップＳ１５）、ステップＳ２に移行する。
【００３９】
一方、ステップＳ１１において、水流信号のＯＮ時間が２０秒未満である場合は、混合調節弁２１がハンチング動作を起こしている可能性があるので、カウンタＭに１を加算した後（ステップＳ１２）、カウンタＭ＝２であるか否かを判断する（ステップＳ１３）。ここで、カウンタＭ＝１の場合は、ソーラー系統に異常が発生している可能性が高いので、カウンタＭをリセットすることなく、ステップＳ２に戻って同様の動作を繰り返すことになる。
【００４０】
ステップＳ１３において、カウンタＭ＝２の場合は、２秒以内の水流信号のＯＦＦ状態が発生した後、２０秒を経過する前に、再び、２秒以内の水流信号のＯＦＦ状態が発生したことになるので、混合調節弁２１がハンチング動作を起こしており、しかも、そのときの出湯温度Ｔｏが上水温度Ｔｗ＋５℃を下回っているので、ソーラー系統の異常、即ち、蓄熱槽１４から温水を給湯接続ユニット２０に送出することができない状態にあるとして（ステップＳ１４）、混合調節弁２１を強制的に全閉にする（ステップＳ１６）。
【００４１】
これによって、蓄熱槽１４から給湯接続ユニット２０への温水の送出が完全に遮断され、給湯接続ユニット２０には上水のみが送出されるようになるので、混合調節弁２１のハンチング動作が停止され、蓄熱槽１４に貯留された温水を利用しない給湯運転に切り替わることになる。
【００４２】
以上のようにして、混合調節弁２１を強制的に全閉にした場合の、通常の給湯運転状態への復帰動作について以下に説明する。まず、図３に示すように、ユーザが給湯器３０の操作リモコン４０の運転スイッチをＯＮ、ＯＦＦすることによって運転状態を意識的にリセットしたか否かを判断し（ステップＳ２１）、ユーザが意識的に運転状態をリセットした場合は、混合調節弁２１の強制全閉状態を解除して通常の制御状態に復帰させる（ステップＳ２４）。
【００４３】
ステップＳ２１において、ユーザが意識的に運転状態をリセットしない場合は、混合調節弁２１を強制的に全閉にすることになった要因が、ソーラー系統の異常によるものか否かを判断し（ステップＳ２２）、上水系統の異常に基づいて混合調節弁２１を強制的に全閉にした場合は、ステップＳ２１に戻って、ユーザが意識的に運転状態をリセットした場合に限り、混合調節弁２１を通常の制御状態に復帰させる（ステップＳ２４）。
【００４４】
一方、ステップＳ２２において、ソーラー系統の異常に基づいて混合調節弁２１を強制的に全閉にした場合は、続いて、混合調節弁２１を強制的に全閉にした時点から４時間が経過したか否かを判断する（ステップＳ２３）。ここで、４時間が経過していない場合は、ステップＳ２１に戻って、ユーザが意識的に運転状態をリセットした場合に限り、混合調節弁２１を通常の制御状態に復帰させるが（ステップＳ２４）、４時間が経過した場合は、自動的に混合調節弁２１を通常の制御状態に復帰させる（ステップＳ２４）。
【００４５】
なお、このようにして、混合調節弁２１を通常の制御状態に復帰させた場合であっても、混合調節弁２１を強制的に全閉にすることになった要因である上水系統の異常やソーラー系統の異常が解消されない限り、再び、同一の動作を繰り返すことになる。
【００４６】
また、ソーラー系統に異常がある場合は、上述したように、混合調節弁２１を全閉にしても、給湯接続ユニット２０に上水が送出されるので給湯可能な状態となるが、上水系統に異常がある場合は、給湯が全くできない状態となるので、カランを開いた状態で給湯が停止されている場合があり、そのような場合に、所定時間経過後に自動的に混合調節弁２１を通常の制御状態に復帰させると、ユーザの意図に反して蓄熱槽に貯留された高温の温水がカランから送出されるおそれがあるので、ユーザが意識的に運転状態をリセットした場合に限り、混合調節弁２１を通常の制御状態に復帰させるようにしている。
【００４７】
以上のように、この給湯システム１では、混合調節弁２１のハンチング動作だけでなく、混合調節弁２１がハンチング動作を行っているときの出湯温度Ｔｏと上水温度Ｔｗ、目標温度Ｔｔとに基づいて、上水系統やソーラー系統に異常があるか否かを判定するようにしたので、カラン操作等に基づく混合調節弁２１のハンチング動作を確実に識別することが可能となり、上水系統やソーラー系統に異常が発生した場合にだけ、混合調節弁２１を強制的に全閉にすることができる。
【００４８】
なお、上述した実施形態では、上水系統の異常検知とソーラー系統の異常検知とを同時に行うようにしているが、これに限定されるものではなく、いずれか一方の異常を検知して混合調節弁２１を強制的に全閉にすることも可能である。
【００４９】
また、上述した実施形態では、２秒以内の水流信号のＯＦＦ状態が発生した後、２０秒を経過する前に、再び、２秒以内の水流信号のＯＦＦ状態が発生した場合に、混合調節弁２１がハンチング動作を起こしていると判定しているが、これに限定されるものではなく、水流信号のＯＦＦ時間、水流信号のＯＦＦ間隔、水流信号のＯＦＦ回数等は、実際に混合調節弁２１がハンチング動作を起こしているときの状況を考慮して適宜設定すればよい。
【００５０】
また、上述した実施形態では、上水温度Ｔｗや目標温度Ｔｔに「５℃」を上乗せした温度を判定基準温度として採用しているが、これに限定されるものではなく、上水温度Ｔｗや目標温度Ｔｔに上乗せする温度は、混合調節弁２１がハンチング動作を起こしているときの出湯温度Ｔｏの変動状況等を考慮して適宜設定すればよい。
【００５１】
また、上述した実施形態では、混合調節弁２１の全開状態が４秒以上継続している場合は、ソーラー系統に異常が発生していないものと判定しているが、判定基準となる混合調節弁２１の全開状態の継続時間は、「４秒」に限定されるものではなく、蓄熱槽１４に貯留された温水温度が上水温度Ｔｗに近い場合の混合調節弁２１の駆動状況を考慮して適宜設定すればよい。
【００５２】
また、上述した実施形態では、上水系統の異常を判定する際、混合調節弁２１の全閉状態の継続時間を考慮していないが、例えば、上水温度Ｔｗが目標温度Ｔｔより高くなる可能性がある場合は、混合調節弁２１の全閉状態の継続時間が所定時間未満である場合に上水系統に異常があると判定するようにしてもよい。
【００５３】
また、上述した実施形態では、ソーラー系統の異常に基づいて混合調節弁２１を強制的に全閉にした場合は、４時間を経過した時点で自動的に通常の制御状態に復帰させるようにしているが、これに限定されるものではなく、混合制御弁２１を通常の制御状態に自動復帰させる時間は、給湯システム１の使い勝手等を考慮して適宜設定すればよく、上水系統に異常が発生した場合と同様に、ユーザが意識的に運転状態をリセットした場合に限り、混合制御弁２１を通常の制御状態に復帰させるようにしてもよい。
【００５４】
また、上述した実施形態は、太陽熱利用温水器を補助熱源として使用した給湯システムであるが、給湯システムにおける補助熱源は、こういった太陽熱利用温水器に限定されるものではなく、例えば、コージェネレーションシステムにおけるガスエンジンやガスタービンの廃熱を補助熱源として使用した給湯システムのように、種々の補助熱源を使用した給湯システムについて、本発明を適用することができることはいうまでもない。
【図面の簡単な説明】
【図１】この発明にかかる給湯システムの一実施形態を示す概略構成図である。
【図２】同上の給湯システムにおいてシステム異常が発生した場合の運転動作を示すフローチャートである。
【図３】同上の給湯システムにおけるシステム異常が発生した場合の運転動作を示すフローチャートである。
【符号の説明】
１  給湯システム
１０  太陽熱利用温水器
１４  蓄熱槽
１６  温水供給管
２０  給湯接続ユニット
２０ａ  コントローラ
２１  混合調節弁
２３  温水配管
２６  入湯温度センサ
２７  上水温度センサ
２８  出湯温度センサ
３０  給湯器
３０ａ  コントローラ
３１  熱交換器
４０  操作リモコン
４０ａ  コントローラ
【図１】
0003726723.tif 000002
【図２】
0003726723.tif 000003
【図３】
0003726723.tif 000004